(57)【要約】【課題】従来の免震技術は高層ビル等を対象とした大規模なもので構成も設置費用も多大であり、一方、一般住宅等では耐震性の向上技術が主で建物全体の免震技術は殆ど提供されず、特に近時の大地震に耐久できる免震技術は極めて大な経済負担となる課題があつた。【解決手段】主軸の各懸架金具の先端部の相対間と主軸挿通孔から建物側及び基礎側に突出した部分に、半球面軸受と上、下耐圧ばねと中間耐圧ばねを嵌挿し、各半球面軸受を半球面軸受メタルに嵌合して、主軸と半球面軸受と半球面軸受メタルで自動求心軸受けを構成し、主軸の上、下端部で上、下耐圧ばねを抜止めし、懸架金具の基部を基礎側と建物側に固定して、建物の重量を懸架金具の先端部に主軸及び上、下耐圧ばねを介して弾力的に懸架支持して備えた建物免震ユニットによって課題を解決した。【選択図】  図１
2010013889.tif 000002
【特許請求の範囲】
【請求項１】
基礎と建物の間に介在設置し、建物を懸架金具とばねの弾力で懸架して備えた耐震用の建物免震ユニットであり、基礎側と建物側の各懸架金具を枠型に備え、各懸架金具の先端部を互い違いに交叉して各先端部の内側を相対した状態とし、主軸を各懸架金具の先端部に開けた主軸挿通孔に挿通するときに、該主軸における各懸架金具の先端部内側の相対間の部分と各主軸挿通孔から建物側及び基礎側に突出した部分に、半球形の金具に中心孔を開けた半球面軸受と建物の重量を支持する上、下耐圧ばねと建物の縦揺れ力を吸収する中間耐圧ばねを嵌挿すると共に、嵌挿した各半球面軸受を各主軸挿通孔の内周上、下縁部に形成した半球面軸受メタルに嵌合して、主軸と半球面軸受と半球面軸受メタルで自動求心軸受けを構成した状態として、主軸の上、下端部で前記上、下耐圧ばねを抜止めして備え、前記各懸架金具の基部を基礎側と建物側に固定することによって、建物の重量を各懸架金具の先端部に主軸及び上、下耐圧ばねを介して弾力的に懸架支持して備えたものであり、
基礎側・建物側が横揺れ移動すると主軸がその方向へ各半球軸受と半球面軸受メタルの球面摺動で傾くと共に、横揺れが止まると自動求心軸受けの復元作用で原位置に自動復元し、
また、基礎側・建物側が縦揺れ移動すると主軸に嵌挿した中間耐圧ばねの圧縮と伸長作用で縦揺れ力を吸収し、縦揺れが止まると中間耐圧ばねの復元で原位置に復元するように備えたことを特徴とする耐震用の建物免震ユニット。
【請求項２】
基礎側と建物側の前記懸架金具を方形、台形、若しくは三角形の枠型に形成し、各懸架金具の先端部を互い違いに交叉して各先端部の内側を相対した状態とし、主軸を各懸架金具の先端部に開けた主軸挿通孔に挿通するときに、該主軸における各懸架金具の先端部内側の相対間の部分に半球面軸受、設定長のコイルばね、該コイルばねを緩挿する設定長のスリーブ、ばね受平座金、中間耐圧ばね、及び、半球面軸受の順に嵌挿すると共に、各主軸挿通孔から建物側及び基礎側に突出した部分に半球面軸受、上、下耐圧ばね、ばね受平座金の順に嵌挿し、該主軸の上、下端をナット締めして上、下耐圧ばねのばね圧を受け止めるように備え、嵌挿した各半球面軸受を各主軸挿通孔の内周上、下縁部に形成した半球面軸受メタルに嵌合し、主軸と半球面軸受と半球面軸受メタルで自動求心軸受けを構成した状態に備えると共に、前記各懸架金具の基部を基礎側と建物側に固定することによって、建物の重量を各懸架金具の先端部に主軸及び上、下耐圧ばねを介して弾力的に懸架支持して備えたことを特徴とする請求項１の耐震用の建物免震ユニット。
【請求項３】
基礎と建物の間に介在設置し、建物を懸架金具で懸架して備えた耐震用の建物免震ユニットであり、基礎側と建物側の懸架金具を枠型に備え、各懸架金具の先端部を互い違いに交叉して各先端部の内側を相対した状態とし、主軸を各懸架金具の先端部に開けた主軸挿通孔に挿通するときに、該主軸における各主軸挿通孔から建物側及び基礎側に突出した部分に、半球形の金具中心孔を開けた半球面軸受を嵌挿すると共に、嵌挿した各半球面軸受を各主軸挿通孔の内周上縁部に形成した半球面軸受メタルに嵌合して、主軸と半球面軸受と半球面軸受メタルで自動求心軸受けを構成した状態とし、主軸の上、下端部をナット締めして半球面軸受を受け止めるように備え、前記各懸架金具の基部を基礎側と建物側に固定することによって、建物の重量を各懸架金具の先端部に主軸を介して懸架して備えたものであり、
基礎側・建物側が横揺れ移動すると主軸がその方向へ各半球軸受と半球面軸受メタルの球面摺動で傾くと共に、横揺れが止まると自動求心軸受けの復元作用で原位置に自動復元するように備えたことを特徴とする耐震用の建物免震ユニット。
【請求項４】
基礎と建物の間に介在設置し、建物を懸架金具と鎖で懸架して備えた耐震用の建物免震ユニットであり、基礎側と建物側の懸架金具を枠型に備え、各懸架金具の先端部を互い違いに交叉して各先端部の内側を相対した状態とし、前記各懸架金具の先端部間を、円形環若しくは楕円形環の鎖で連結して備え、前記各懸架金具の基部を建物の基礎側と建物側に固定することによって、建物の重量を各懸架金具の先端部に前記鎖を介して懸架して備えたものであり、
基礎側・建物側が横揺れ移動すると鎖の各連環の中心線がその方向へ傾くと共に、横揺れが止まると円形環若しくは楕円形環の円弧面相互の自動求心復元作用で原位置に自動復元するように備えたことを特徴とする耐震用の建物免震ユニット。
【発明の詳細な説明】
【技術分野】
【０００１】
本発明は、基礎と建物の間に介在設置し、建物を、懸架金具と主軸とばねの弾力によって懸架して備えた、若しくは懸架金具と主軸によって懸架して備えた、若しくは懸架金具と鎖によって懸架して備えた、耐震用の建物免震ユニットに関するものであり、主として地震の際に、建物の震動を免震して建物を保護するようにしたことを特徴とする、耐震用の建物免震ユニットに係るものである。
【背景技術】
【０００２】
近時、大規模地震が頻繁に起きることに起因して、その防災対策として、種々の建物について地震の震動に耐久する性能を保有させることが極めて緊急かつ深刻な課題とされており、よって、建物自体の構造の耐震性を向上する技術と共に、建物の基礎と建物の間に耐震若しくは免震構造を備えることによって、建物全体の震動を制動若しくは緩和する所謂免震技術が種々提供されつつある。
然るところ、従来の免震技術は、その大多数が大形ビルや高層ビル等を対象とした大規模なものであって、その構成も設置費用も多大なものとなっている。
一方、一般住宅等の比較的小形な建物については、前記のように建物自体の構造の耐震性を向上する技術は多数提供されているが、建物全体の免震技術は殆ど開発提供されていないのが現状であり、その点において大きな課題である。
また、前記のように、当然建物自体の耐震性を向上することは望まれるが、近時のように震度が大な地震に耐久できる構造にするには、小さな一般住宅の場合でも建築費における極めて大きな負担増となっていることも大きな課題とされている。
【発明の開示】
【発明が解決しようとする課題】
【０００３】
そこで、本発明は、上記従来の技術的常識から発想を転換して、従来は主として大形建物用として考えられていた免震技術を、一般住宅等の比較的小形な建物について利用することに着想し、極めて大きな荷重に耐久するコイルばねを耐圧ばねとして利用した本発明独自のサスペンション構成の免震ユニット（極めて安価に製造可能）を複数配置することによって建物全体を懸架して備えて、主として地震による揺れ（横揺れ・縦揺れ・縦横複合揺れ）を効果的に免震して、建物を地震から守るようにして、また、本発明免震ユニットを極めて安価に提供して、上記従来の課題を解決したものである。
【課題を解決するための手段】
【０００４】
即ち、請求項１の発明は、基礎と建物の間に介在設置し、建物を懸架金具とばねの弾力で懸架して備えた耐震用の建物免震ユニットであり、  
基礎側と建物側の各懸架金具を枠型に備え、各懸架金具の先端部を互い違いに交叉して各先端部の内側を相対した状態とし、主軸を各懸架金具の先端部に開けた主軸挿通孔に挿通するときに、該主軸における各懸架金具の先端部内側の相対間の部分と各主軸挿通孔から建物側及び基礎側に突出した部分に、半球形の金具に中心孔を開けた半球面軸受と建物の重量を支持する上、下耐圧ばねと建物の縦揺れ力を吸収する中間耐圧ばねを嵌挿すると共に、嵌挿した各半球面軸受を各主軸挿通孔の内周上、下縁部に形成した半球面軸受メタルに嵌合して、主軸と半球面軸受と半球面軸受メタルで自動求心軸受けを構成した状態として、主軸の上、下端部で前記上、下耐圧ばねを抜止めして備え、前記各懸架金具の基部を建物の基礎側と建物側に固定することによって、建物の重量を各懸架金具の先端部に主軸及び上、下耐圧ばねを介して弾力的に懸架支持（サスペンション）して備えたものであり、
基礎側・建物側が横揺れ移動すると主軸がその方向へ各半球軸受と半球面軸受メタルの球面摺動で傾くと共に、横揺れが止まると自動求心軸受けの復元作用で原位置に自動復元し、
また、基礎側・建物側が縦揺れ移動すると主軸に嵌挿した中間耐圧ばねの圧縮と伸長作用で縦揺動力を吸収し、縦揺れが止まると中間耐圧ばねの復元で原位置に復元するように備えたことを特徴とする耐震用の建物免震ユニットによって課題を解決したものである。
【０００５】
請求項２の発明は、前記請求項１の発明において、基礎側と建物側の前記懸架金具を方形、台形、若しくは三角形の枠型に形成し、各懸架金具の先端部を互い違いに交叉して各先端部の内側を相対した状態とし、主軸を各懸架金具の先端部に開けた主軸挿通孔に挿通するときに、該主軸における各懸架金具の先端部内側の相対間の部分に半球面軸受、設定長のコイルばね、該コイルばねを緩挿する設定長のスリーブ、ばね受平座金、中間耐圧ばね、及び、半球面軸受の順に嵌挿すると共に、各主軸挿通孔から建物側及び基礎側に突出した部分に半球面軸受、上、下耐圧ばね、ばね受平座金の順に嵌挿し、該主軸の上、下端をナット締めして上、下耐圧ばねのばね圧を受け止めるように備え、嵌挿した各半球面軸受を各主軸挿通孔の内周上、下縁部に形成した半球面軸受メタルに嵌合し、主軸と半球面軸受と半球面軸受メタルで自動求心軸受けを構成した状態に備えると共に、前記各懸架金具の基部を建物の基礎側と建物側に固定することによって、建物の重量を各懸架金具の先端部に主軸及び上、下耐圧ばねを介して弾力的に懸架支持して備えたことを特徴とする請求項１の耐震用の建物免震ユニットによって課題を解決したものである。
【０００６】
請求項３の発明は、基礎と建物の間に介在設置し、建物を懸架金具で懸架して備えた耐震用の建物免震ユニットであり、  
基礎側と建物側の懸架金具を枠型に備え、各懸架金具の先端部を互い違いに交叉して各先端部の内側を相対した状態とし、主軸を各懸架金具の先端部に開けた主軸挿通孔に挿通するときに、該主軸における各主軸挿通孔から建物側及び基礎側に突出した部分に、半球形の金具中心孔を開けた半球面軸受を嵌挿すると共に、嵌挿した各半球面軸受を各主軸挿通孔の内周上縁部に形成した半球面軸受メタルに嵌合して、主軸と半球面軸受と半球面軸受メタルで自動求心軸受けを構成した状態とし、主軸の上、下端部をナット締めして備え、前記各懸架金具の基部を建物の基礎側と建物側に固定することによって、建物の重量を各懸架金具の先端部に主軸を介して懸架して備えたものであり、
基礎側・建物側が横揺れ移動すると主軸がその方向へ各半球軸受と半球面軸受メタルの球面摺動で傾くと共に、横揺れが止まると自動求心軸受けの復元作用で原位置に自動復元するように備えたことを特徴とする耐震用の建物免震ユニットによって課題を解決したものである。
【０００７】
請求項４の発明は、基礎と建物の間に介在設置し、建物を懸架金具と鎖で懸架して備えた耐震用の建物免震ユニットであり、  
基礎側と建物側の懸架金具を枠型に備え、各懸架金具の先端部を互い違いに交叉して各先端部の内側を相対した状態とし、前記各懸架金具の先端部間を、円形環若しくは楕円形環の鎖で連結して備え、前記各懸架金具の基部を建物の基礎側と建物側に固定することによって、建物の重量を各懸架金具の先端部に前記鎖を介して懸架して備えたものであり、
基礎側・建物側が横揺れ移動すると鎖の各連環の中心線がその方向へ傾くと共に、横揺れが止まると円形環若しくは楕円形環の円弧面相互の自動求心復元作用で原位置に自動復元するように備えたことを特徴とする耐震用の建物免震ユニットによって課題を解決したものである。
【発明を実施するための最良の形態】
【０００８】
基礎側と建物側の前記懸架金具を方形、台形、若しくは三角形の枠型に形成し、各懸架金具の先端部を互い違いに交叉して各先端部の内側を相対した状態とし、主軸を各懸架金具の先端部に開けた主軸挿通孔に挿通するときに、該主軸における各懸架金具の先端部内側の相対間の部分に半球面軸受、設定長のコイルばね、該コイルばねを緩挿する設定長のスリーブ、ばね受平座金、中間耐圧ばね、及び、半球面軸受の順に嵌挿すると共に、各主軸挿通孔から建物側及び基礎側に突出した部分に半球面軸受、上、下耐圧ばね、ばね受平座金の順に嵌挿し、該主軸の上、下端をナット締めし、嵌挿した各半球面軸受を各主軸挿通孔の内周上、下縁部に形成した半球面軸受メタルに嵌合し、主軸と半球面軸受と半球面軸受メタルで自動求心軸受けを構成した状態に備えると共に、前記各懸架金具の基部を建物の基礎側と建物側に固定することによって、建物の重量を各懸架金具の先端部に主軸及び上、下耐圧ばねを介して弾力的に懸架支持して備えて実現した。
【実施例１】
【０００９】
図１は請求項１に記載の耐震用の建物免震ユニットの実施例の一部切断正面図、図２は図１のＹ−Ｙ線断面矢視図である。
図３は地震の横揺れで図１の建物側が右方向へ移動し建物免震ユニットの主軸が傾斜した状態を示す図である。
図４は懸架金具の正面図及び平面図、図５は半球面軸受の正面図及び平面図、図６は半球面軸受メタル（上、下耐圧ばね用）の平面図及び横断面図、図７は半球面軸受メタル（コイルばね、スリーブ、中間耐圧ばね用）の平面図及び横断面図である。
【００１０】
基礎１と建物２の間に介在設置し、建物２を懸架金具Ｂ、Ｃとばねの弾力で懸架して備えた耐震用の建物免震ユニットＡであり、
基礎側１と建物側２の前記懸架金具Ｂ、Ｃを方形、台形（図示例）、三角形、その他任意形状の枠状に形成し、懸架金具Ｂ、Ｃの先端部３、３を互い違いに交叉して先端部３、３の内側を相対した状態とし、主軸４を懸架金具Ｂ、Ｃの先端部３、３に開けた主軸挿通孔５、５に挿通するときに、該主軸４における懸架金具Ｂ、Ｃの先端部３、３内側の相対間の部分に半球面軸受６、設定長のコイルばね７、該コイルばね７を緩挿する設定長のスリーブ８、ばね受平座金９、中間耐圧ばね１０、及び、半球面軸受６の順に嵌挿すると共に、各主軸挿通孔５、５から建物側２及び基礎側１に突出した部分に半球面軸受１１、１１、上、下耐圧ばね１２、１２、ばね受平座金９の順に嵌挿し、該主軸４の上、下端をナット１３締めして上、下耐圧ばね１２、１２のばね圧を受け止めるように備え、嵌挿した各半球面軸受６、１１を各主軸挿通孔５、５の内周上、下縁部に形成した半球面軸受メタル１４（半球面軸受６、６用）、１５（半球面軸受１１、１１用）に嵌合し、主軸４と半球面軸受６、１１と半球面軸受メタル１４、１５で自動求心軸受けを構成した状態に備えると共に、前記懸架金具Ｂ、Ｃの基部１６、１６を建物の建物側２と基礎側１に固定することによって、建物１の重量を各懸架金具Ｂ、Ｃの先端部３、３に主軸４及び上、下耐圧ばね１２、１２を介して弾力的に懸架支持して備えた、耐震用の建物免震ユニットＡである。
【００１１】
平常時、建物２の重量は、懸架金具Ｃの基部１６−半球面軸受メタル１５−半球面軸受１１−下耐圧ばね１２を圧縮する負荷する方向に負荷され、該負荷が主軸４を垂下する方向に作用し、上耐圧ばね１２を圧縮する方向に作用し、よって、建物１の重量は、上、下耐圧ばね１２、１２によって弾力的に支持されている。
【００１２】
上記の状態において、地震等で建物の基礎側１若しくは建物側２が横揺れ移動（図３参照）すると、基礎側１若しくは建物側２の懸架金具Ｂ若しくはＣが横方向へ移動し、その力が主軸４をその反対方向へ傾動する方向へ作用し、主軸４は同方向へ半球軸受６、１１と半球面軸受メタル１４、１５の球面摺動で傾動し、
【００１３】
また、基礎側１若しくは建物側２が縦揺れで上方向へ移動すると、基礎側１若しくは建物側２の懸架金具Ｂ若しくはＣが上方向へ移動し、その力が主軸４を上動する方向へ作用し、懸架金具Ｃが上昇するとその先端部３が半球軸受６、と半球面軸受メタル１４を経て中間耐圧ばね１０を圧縮する方向へ作用し、該中間耐圧ばね１０がスリーブと共にまたコイルばね７を圧縮して上昇し、該スリーブ７が半球軸受６に衝突すると、以降は中間耐圧ばね１０を圧縮しその弾力で上昇力を吸収し、
【００１４】
反対に、下方向へ移動すると、基礎側１若しくは建物側２の懸架金具Ｂ若しくはＣが下方向へ移動し、その力が主軸４を下動する方向へ作用し、懸架金具Ｃが下降するとその先端部３が半球軸受１１、と半球面軸受メタル１５を経て下耐圧ばね１２を圧縮する方向へ作用し、また主軸４を下降して上耐圧ばね１２を圧縮する方向へ作用し、上、下耐圧ばね１２、１２を圧縮しその弾力で下降力を吸収し、同時に、中間耐圧ばね１０が圧縮から開放されてスリーブ８との間に空きが生じる場合はコイルばね７が伸長して該中間耐圧ばね１０が踊るのを防止する。
【００１５】
そして、横揺れが止まると、主軸と半球軸受と半球面軸受メタルからなる自動求心軸受け構成の復元作用によって、主軸が原位置に自動復元すると共に、懸架金具Ｂ、Ｃ即ち基礎側１、建物側２が原位置に自動復元し、また、縦揺れが止まると主軸が中間耐圧ばねの復元で原位置に復元するものである。
【００１６】
本発明は、上記のような複合作用によって、地震等による激しく振幅の大きな横揺れ・縦揺れ・それらが複合した揺れ等のあらゆる震動から、建物を極めて有効に耐震保護することができる。
【００１７】
なお、懸架金具は、図示例では共通一対構成のものを使用しているが、必要に応じて、形状寸法その他、相違する場合がある。
【００１８】
また、本発明建物免震ユニットＡは、例えば、寸法、形状、耐圧荷重等に応じた多数種のものを用意し、例えば、建物の構造、形状、重量、設定間隔、設定面積、その他の条件に対応して、複数個、多数個を選択配置する。
更に、他の本発明建物免震ユニットＡａ、Ａｂと適材適所で混在配置することも可能である。
【実施例２】
【００１９】
図８は請求項３に記載の耐震用の建物免震ユニットＡａの実施例の一部切断正面図である。
【００２０】
基礎１と建物２の間に介在設置し、建物を懸架金具Ｂａ、Ｃａで懸架して備えた耐震用の建物免震ユニットＡａであり、
基礎側１と建物側２の懸架金具Ｂａ、ＣａをＵ形の枠型に備え、懸架金具Ｂａ、Ｃａの先端部３ａ、３ａを互い違いに交叉して先端部３ａ、３ａの内側を相対した状態とし、
主軸４ａを懸架金具Ｂａ、Ｃａの先端部３ａ、３ａに開けた主軸挿通孔５ａ、５ａに挿通するときに、該主軸４ａにおける主軸挿通孔５ａ、５ａから基礎側１及び建物側２に突出した部分に、半球形の金具に中心孔を開けた半球面軸受１１ａ、１１ａを嵌挿すると共に、嵌挿した半球面軸受１１ａ、１１ａを主軸挿通孔５ａ、５ａの内周上縁部に形成した半球面軸受メタル１５ａ、１５ａに嵌合して、主軸４ａと半球面軸受１１ａ、１１ａと半球面軸受メタル１５ａ、１５ａで自動求心軸受けを構成した状態とし、主軸４ａの上、下端部をナット１３ａ締めして半球面軸受１１ａ、１１ａを受け止めるように備え、前記懸架金具Ｂａ、Ｃａの基部１６ａ、１６ａを建物側２ａと基礎側１ａに固定することによって、建物の重量を懸架金具Ｂａ、Ｃａの先端部３ａ、３ａに主軸４ａを介して懸架して備えたものであり、
基礎側１、建物側２が横揺れ移動すると主軸４ａがその方向へ半球軸受１１ａ、１１ａと半球面軸受メタル１５ａ、１５ａの球面摺動で傾くと共に、横揺れが止まると自動求心軸受けの復元作用で原位置に自動復元するように備えた耐震用の建物免震ユニットＡａである。
【００２１】
本発明は、上記のような構成・作用によって、地震等による激しく振幅の大きな横揺れ・縦揺れ・それらが複合した揺れ等の震動を有効に免震でき、よって、建物を極めて効果的に耐震保護することができる。
【００２２】
なお、懸架金具は、図示例では共通一対構成のものを使用しているが、必要に応じて、形状寸法その他、相違する場合がある。
【００２３】
また、本発明建物免震ユニットＡａは、例えば、寸法、形状、耐圧荷重等に応じた多数種のものを用意し、例えば、建物の構造、形状、重量、設定間隔、設定面積、その他の条件に対応して、複数個、多数個を選択配置する。
更に、他の本発明建物免震ユニットＡ、Ａｂと適材適所で混在配置することも可能である。
【実施例３】
【００２４】
図９は請求項４に記載の耐震用の建物免震ユニットＡｂの実施例の一部切断正面図である。
【００２５】
基礎１と建物２の間に介在設置し、建物を懸架金具と鎖で懸架して備えた耐震用の建物免震ユニットであり、  Ｂｂ、Ｃｂで懸架して備えた耐震用の建物免震ユニットＡｂであり、
基礎側１と建物側２の懸架金具Ｂｂ、ＣｂをＵ形の枠型に備え、懸架金具Ｂｂ、Ｃｂの先端部３ｂ、３ｂを互い違いに交叉して先端部３ｂ、３ｂの内側を相対した状態とし、前記懸架金具Ｂｂ、Ｃｂの先端部３ｂ、３ｂ間を、円形若しくは楕円形の環１７ｂを連結した鎖１８ｂで連結して備え、前記懸架金具Ｂｂ、Ｃｂの基部１６ｂ、１６ｂを建物側２と基礎側１に固定することによって、建物の重量を懸架金具Ｂｂ、Ｃｂの先端部３ｂ、３ｂに前記鎖１８ｂを介して懸架して備えたものであり、
基礎側１、建物側２が横揺れ移動すると鎖１８ｂの各環１７ｂの中心線がその方向へ傾いて横揺れを吸収すると共に、横揺れが止まると環１７ｂの円弧面相互の自動求心復元作用で原位置に自動復元するように備えた耐震用の建物免震ユニットＡｂである。
【００２６】
本発明は、上記のような構成・作用によって、地震等による激しく振幅の大きな横揺れ・縦揺れ・それらが複合した揺れ等の震動から、建物を極めて有効に耐震保護することができる。
【００２７】
なお、懸架金具は、図示例では共通一対構成のものを使用しているが、必要に応じて、形状寸法その他、相違する場合がある。
【００２８】
また、本発明建物免震ユニットＡｂは、例えば、寸法、形状、耐圧荷重等に応じた多数種のものを用意し、例えば、建物の構造、形状、重量、設定間隔、設定面積、その他の条件に対応して、複数個、多数個を選択配置する。
更に、他の本発明建物免震ユニットＡ、Ａａと適材適所で混在配置することも可能である。
【産業上の利用可能性】
【００２９】
本発明建物免震ユニットは、一般住宅その他の比較的小形な建物用に適合し、建物免震ユニットは極めて安価に提供できるので、その多数個を使用しても経済的負担を格段に小に抑えることが可能であり、よって、新築ばかりでなく中古の耐震強化、そして、特に、震災地の復興用に最適な耐震・免震用資材として汎用することができる。
【図面の簡単な説明】
【００３０】
【図１】請求項１に記載の耐震用の建物免震ユニットの実施例の一部切断正面図。
【図２】図１のＹ−Ｙ線断面矢視図。
【図３】地震の横揺れで図１の建物側が右方向へ移動し建物免震ユニットの主軸が傾斜した状態を示す図。
【図４】懸架金具の正面図及び平面図。
【図５】半球面軸受の正面図及び平面図。
【図６】半球面軸受メタル（上、下耐圧ばね用）の平面図及び横断面図。
【図７】半球面軸受メタル（コイルばね、スリーブ、中間耐圧ばね用）の平面図及び横断面図。
【図８】請求項３に記載の耐震用の建物免震ユニットの実施例の一部切断正面図。
【図９】請求項４に記載の耐震用の建物免震ユニットの実施例の一部切断正面図。
【符号の説明】
【００３１】
Ａ  建物免震ユニット（実施例１）
Ｂ  懸架金具
Ｃ  懸架金具
１  基礎（側）
２  建物（側）
３  先端部
４  主軸
５  主軸挿通孔
６  半球面軸受
７  コイルばね
８  スリーブ
９  ばね受平座金
１０  中間耐圧ばね
１１  半球面軸受
１２  上耐圧ばね
１２  下耐圧ばね
１３  ナット
１４  半球面軸受メタル（半球面軸受６用）
１５  半球面軸受メタル（半球面軸受１１用）
１６  基部
Ａａ  建物免震ユニット（実施例２）
Ｂａ  懸架金具
Ｃａ  懸架金具
３ａ  先端部
４ａ  主軸
５ａ  主軸挿通孔
１１ａ  半球面軸受
１３ａ  ナット
１５ａ  半球面軸受メタル（半球面軸受１１用）
１６ａ  基部
Ａｂ  建物免震ユニット（実施例３）
Ｂｂ  懸架金具
Ｃｂ  懸架金具
３ｂ  先端部
１６ｂ  基部
１７ｂ  環
１８ｂ  鎖
【図１】
2010013889.tif 000003
【図２】
2010013889.tif 000004
【図３】
2010013889.tif 000005
【図４】
2010013889.tif 000006
【図５】
2010013889.tif 000007
【図６】
2010013889.tif 000008
【図７】
2010013889.tif 000009
【図８】
2010013889.tif 000010
【図９】
2010013889.tif 000011